(57)【特許請求の範囲】
【請求項１】
各地域に関する道路交通情報を記憶保持し、その道路交通情報を端末機からのダウンロード要求に応じて配信する配信サーバと、
前記配信サーバから配信される道路交通情報を受信する端末機とを備えた道路交通情報配信システムであって、
所定の道路交通状況に該当する地域を対象地域に設定し、
前記設定された対象地域に関する道路交通情報を前記配信サーバから前記端末機へ配信することを特徴とする道路交通情報配信システム。
【請求項２】
請求項１の道路交通情報配信システムにおいて、
渋滞が多い地域を前記対象地域に設定することを特徴とする道路交通情報配信システム。
【請求項３】
請求項１の道路交通情報配信システムにおいて、
渋滞状況の変化が大きい地域を前記対象地域に設定することを特徴とする道路交通情報配信システム。
【請求項４】
請求項１の道路交通情報配信システムにおいて、
交通事故が発生した地域を前記対象地域に設定することを特徴とする道路交通情報配信システム。
【請求項５】
請求項１の道路交通情報配信システムにおいて、
普段よりも渋滞している地域を前記対象地域に設定することを特徴とする道路交通情報配信システム。
【請求項６】
請求項１の道路交通情報配信システムにおいて、
渋滞予測が当たりにくい地域を前記対象地域に設定することを特徴とする道路交通情報配信システム。
【請求項７】
請求項１〜６いずれか一項の道路交通情報配信システムにおいて、
前記対象地域に設定された地域のうち、前記端末機の現在位置から予め定められた所定距離以内にある地域を選択し、その選択された地域について、前記道路交通情報を前記配信サーバから前記端末機へ配信することを特徴とする道路交通情報配信システム。
【請求項８】
請求項１〜６いずれか一項の道路交通情報配信システムにおいて、
前記対象地域に設定された地域のうち、前記端末機において設定された推奨経路から予め定められた所定距離以内にある地域を選択し、その選択された地域について、前記道路交通情報を前記配信サーバから前記端末機へ配信することを特徴とする道路交通情報配信システム。
【請求項９】
請求項７または８の道路交通情報配信システムにおいて、
前記選択の際、その地域の大きさまたは道路交通状況に応じて、前記所定距離を地域ごとに変化させることを特徴とする道路交通情報配信システム。
【請求項１０】
請求項１〜９いずれか一項の道路交通情報配信システムにおいて用いられる配信サーバであって、
各地域に関する道路交通情報を記憶保持する記憶保持手段と、
前記対象地域を設定する設定手段と、
前記端末機からのダウンロード要求に応じて、前記記憶保持手段により記憶保持された道路交通情報の中から、前記設定手段により設定された対象地域に関する道路交通情報を抽出する抽出手段と、
前記抽出手段により抽出された道路交通情報を前記端末機へ配信する配信手段とを備えることを特徴とする配信サーバ。
【請求項１１】
請求項１〜９いずれか一項の道路交通情報配信システムにおいて用いられる端末機であって、
前記対象地域を設定する設定手段と、
前記設定手段により設定された対象地域に関する道路交通情報を前記配信サーバへ要求するためのダウンロード要求を発信するダウンロード要求手段と、
前記ダウンロード要求手段により発信されたダウンロード要求に応じて前記配信サーバ手段から配信される道路交通情報を受信する受信手段とを備えることを特徴とする端末機。
【請求項１２】
請求項１１の端末機において、
前記ダウンロード要求手段は、前記対象地域の大きさまたは道路交通状況に応じて、前記ダウンロード要求を発信するタイミングを変化させることを特徴とする端末機。
【発明の詳細な説明】
【技術分野】
【０００１】
本発明は、道路交通情報を道路地図上に表示するナビゲーション装置などの端末機と、端末機へ道路交通情報を配信する配信サーバとを有する道路交通情報配信システムに関する。
【背景技術】
【０００２】
渋滞状況や通行規制状況など、各種の道路交通情報を提供する道路交通情報通信システム（ＶＩＣＳ）が実用化されている。このシステムでは、ＶＩＣＳセンターにおいて収集した各種の道路交通情報（ＶＩＣＳ情報）を、電波ビーコン、光ビーコン、ＦＭ多重放送などにより車載機へ送信する。車載機では、受信したＶＩＣＳ情報の内容を画面表示するなどの方法によって車両内のユーザへ提供する。
【０００３】
しかし、上記のＶＩＣＳにおいてＶＩＣＳセンターから提供されるＶＩＣＳ情報は、都道府県単位など一定の地域に限られているため、地域外のＶＩＣＳ情報を得ることができないという問題がある。そこで、このようなＶＩＣＳの問題点を解決するものとして、たとえば特許文献１に開示される交通情報受信装置を利用したシステムが知られている。このシステムでは、広範囲のＶＩＣＳ情報を交通情報センターに蓄積し、携帯電話などを用いて車両に備えられた交通情報受信装置から交通情報センターに接続する。これにより、ＶＩＣＳセンターからＶＩＣＳ情報が通常提供される地域よりも外にある地域についても、車両においてＶＩＣＳ情報を得られるようにしている。
【０００４】
さらに上記のシステムでは、交通情報センターに接続するときの通信費を抑えるため、長時間通常のＶＩＣＳ情報を取り込んでいないときに交通情報センターにアクセスして広範囲のＶＩＣＳ情報を取り込むようにしている。また、既に取り込まれたＶＩＣＳ情報に有用な情報が存在しないときや大渋滞時等には、交通情報センターへのアクセス間隔を長くするようにしている。
【０００５】
【特許文献１】特開２００２−３６５０６６号公報
【発明の開示】
【発明が解決しようとする課題】
【０００６】
特許文献１に開示される交通情報受信装置を利用したシステムでは、広範囲のＶＩＣＳ情報の全てを交通情報センターから車両の交通情報受信装置へ配信する。そのため、車両にとって不要な地域のＶＩＣＳ情報までも配信されてしまい、通信時間や通信費用に無駄が生じている。
【課題を解決するための手段】
【０００７】
請求項１の発明は、各地域に関する道路交通情報を記憶保持し、その道路交通情報を端末機からのダウンロード要求に応じて配信する配信サーバと、配信サーバから配信される道路交通情報を受信する端末機とを備えた道路交通情報配信システムであって、所定の道路交通状況に該当する地域を対象地域に設定し、設定された対象地域に関する道路交通情報を配信サーバから端末機へ配信するものである。
請求項２の発明は、請求項１の道路交通情報配信システムにおいて、渋滞が多い地域を対象地域に設定するものである。
請求項３の発明は、請求項１の道路交通情報配信システムにおいて、渋滞状況の変化が大きい地域を対象地域に設定するものである。
請求項４の発明は、請求項１の道路交通情報配信システムにおいて、交通事故が発生した地域を対象地域に設定するものである。
請求項５の発明は、請求項１の道路交通情報配信システムにおいて、普段よりも渋滞している地域を対象地域に設定するものである。
請求項６の発明は、請求項１の道路交通情報配信システムにおいて、渋滞予測が当たりにくい地域を対象地域に設定するものである。
請求項７の発明は、請求項１〜６いずれか一項の道路交通情報配信システムにおいて、対象地域に設定された地域のうち、端末機の現在位置から予め定められた所定距離以内にある地域を選択し、その選択された地域について、道路交通情報を配信サーバから端末機へ配信するものである。
請求項８の発明は、請求項１〜６いずれか一項の道路交通情報配信システムにおいて、対象地域に設定された地域のうち、端末機において設定された推奨経路から予め定められた所定距離以内にある地域を選択し、その選択された地域について、道路交通情報を配信サーバから端末機へ配信するものである。
請求項９の発明は、請求項７または８の道路交通情報配信システムにおいて、前記の選択の際に、その地域の大きさまたは道路交通状況に応じて、所定距離を地域ごとに変化させるものである。
請求項１０の発明は、請求項１〜９いずれか一項の道路交通情報配信システムにおいて用いられる配信サーバであって、各地域に関する道路交通情報を記憶保持する記憶保持手段と、対象地域を設定する設定手段と、端末機からのダウンロード要求に応じて、記憶保持手段により記憶保持された道路交通情報の中から、設定手段により設定された対象地域に関する道路交通情報を抽出する抽出手段と、抽出手段により抽出された道路交通情報を端末機へ配信する配信手段とを備えるものである。
請求項１１の発明は、請求項１〜９いずれか一項の道路交通情報配信システムにおいて用いられる端末機であって、対象地域を設定する設定手段と、設定手段により設定された対象地域に関する道路交通情報を配信サーバへ要求するためのダウンロード要求を発信するダウンロード要求手段と、ダウンロード要求手段により発信されたダウンロード要求に応じて配信サーバ手段から配信される道路交通情報を受信する受信手段とを備えるものである。
請求項１２の発明は、請求項１１の端末機において、ダウンロード要求手段は、対象地域の大きさまたは道路交通状況に応じて、ダウンロード要求を発信するタイミングを変化させるものである。
【発明の効果】
【０００８】
本発明によれば、車両にとって不要な地域の道路交通情報が配信されるのを防止し、通信時間や通信費用の無駄を削減することができる。
【発明を実施するための最良の形態】
【０００９】
−第１の実施の形態−
本発明の第１の実施の形態によるナビゲーションシステムの構成を図１に示す。車両１００に搭載されている車載機１は、推奨経路を探索して道路地図を表示することにより車両１００を目的地まで誘導する、いわゆるカーナビゲーション装置の一種である。車載機１には通信端末２が接続されている。通信端末２は、車載機１からの制御によって移動体通信網３と無線接続される。移動体通信網３には、配信サーバ４が接続されている。すなわち、車載機１からの制御によって、通信端末２と移動体通信網３を介して、車載機１と配信サーバ４が接続される。
【００１０】
なお、通信端末２と移動体通信網３が無線接続される際には、不図示の無線基地局が用いられる。この無線基地局は、その周囲の所定の通信エリア内にある通信端末２と無線通信することが可能であり、全国各地に散在している。また、車載機１と通信端末２との接続には、ケーブル等による有線接続に限らず、たとえば赤外線などの無線接続を用いてもよい。通信端末２には、たとえば携帯電話などが用いられる。
【００１１】
配信サーバ４は、不図示のＶＩＣＳセンターから全国のＶＩＣＳ情報を逐次入手するとともに、過去の渋滞履歴などに基づいて未来の渋滞状況を予測し、これらの道路交通に関する情報を記憶保持する。配信サーバ４において記憶保持される情報のことを、以下では総合交通情報と称する。この総合交通情報には全国の道路交通情報が表されており、その内容は地域ごとに分けることができる。なお、上記のＶＩＣＳセンターとは、財団法人道路交通情報通信システムセンターのことである。また、ＶＩＣＳ情報とは、ＶＩＣＳセンターより供給される各種の道路交通情報、たとえば現在の渋滞情報や通行規制情報などのことである。
【００１２】
前述のように通信端末２と移動体通信網３を介して車載機１と配信サーバ４が接続されると、車載機１から配信サーバ４に対して、総合交通情報をダウンロードするための要求（以下、ダウンロード要求という）が発信される。なお、ダウンロード要求の発信は、車載機１において一定時間ごとに行われる。
【００１３】
車載機１から発信されたダウンロード要求が配信サーバ４において受信されると、それに応じて、配信サーバ４に記憶保持されている総合交通情報のうち、車載機１にとって必要な地域のものが配信サーバ４から車載機１へ配信される。このようにして、総合交通情報のダウンロードが行われる。なおダウンロードの際には、車載機１の現在位置や推奨経路の設定状況から、車載機１にとって総合交通情報が必要な地域が判断され、その地域についての総合交通情報が配信サーバ４において抽出される。この点については後で詳しく説明する。
【００１４】
なお、配信サーバ４から配信される総合交通情報は、後で説明するように配信サーバ４を介さずにＶＩＣＳセンターから車載機１へＦＭ放送によって直接送信されるＶＩＣＳ情報とは異なり、現在地付近の一定地域、たとえば同一都道府県内の情報には限られない。すなわち、通常のＶＩＣＳ情報では一定地域について現在の渋滞状況しか得られないが、総合交通情報では、全国について実際に車両が到達する予想時刻の渋滞状況を得ることができる。そのため、車載機１において総合交通情報を用いることで、より正確な推奨経路を探索することができる。
【００１５】
配信サーバ４から上記のように移動体通信網３と通信端末２を介して配信される総合交通情報を、車載機１において受信する。車載機１はこうして受信した総合交通情報に基づいて、現在地や設定された推奨経路付近の渋滞状況、通行規制状況等を道路地図上に重ねて表示したりすることにより、ユーザに各種の道路交通情報を提供する。さらに、推奨経路が設定されているときには、後で説明するように推奨経路の再探索を行うことにより、推奨経路の途中に渋滞が発生している場合には、その渋滞を回避するような新たな推奨経路を必要に応じて設定する。
【００１６】
なお、ＶＩＣＳ情報にはレベル１〜レベル３の３段階のレベルがあり、ＶＩＣＳ情報を車載機１において表示したときの表示形態はＶＩＣＳ情報のレベルによって異なる。レベル１のＶＩＣＳ情報では、文字によって内容が表される。たとえば、渋滞地点名や渋滞距離、ある地点間の所要時間などを表現した文章が、レベル１のＶＩＣＳ情報として表示される。レベル２の場合は、簡易図形（道路線形を簡易的な図形で表したもの）を用いてその内容が表現される。たとえば、特定の道路の渋滞箇所を赤やオレンジ色などによって簡易図形上に表した画像が、レベル２のＶＩＣＳ情報として表示される。
【００１７】
以上説明したように、レベル１とレベル２のＶＩＣＳ情報の表示は、道路地図とは組み合わされずに単独で行われる。一方、レベル３のＶＩＣＳ情報は、道路地図と組み合わされてその内容が表される。たとえば、赤やオレンジ色などの矢印を道路に沿って表示することで各道路の渋滞状況を示したり、通行止めや車線規制などの通行規制を示すためのマークを道路上に表示したりする。すなわち、前述したようにＶＩＣＳ情報に基づいて各種の道路交通情報を道路地図上に重ねて表示するためには、レベル３のＶＩＣＳ情報が用いられ、レベル１とレベル２のＶＩＣＳ情報は用いられない。なお、配信サーバ４からダウンロードする総合交通情報を用いても、レベル３のＶＩＣＳ情報と同様に、道路地図上に渋滞状況や通行規制状況を重ねて表示することができる。
【００１８】
図２は、車載機１の構成を示すためのブロック図である。車載機１は、制御回路１１、ＲＯＭ１２、ＲＡＭ１３、現在地検出装置１４、画像メモリ１５、表示モニタ１６、入力装置１７、ＦＭ放送受信部１８およびディスクドライブ１９を有している。ディスクドライブ１９には、地図データが記録されたＤＶＤ−ＲＯＭ２０が装填される。
【００１９】
制御回路１１は、マイクロプロセッサおよびその周辺回路からなり、ＲＡＭ１３を作業エリアとしてＲＯＭ１２に格納された制御プログラムを実行することにより、後で説明するような各種の処理や制御を行う。制御回路１１には通信端末２が接続されており、制御回路１１によって通信端末２を制御することで、車載機１から図１の配信サーバ４に対してダウンロード要求の発信が行われる。このダウンロード要求に応じて配信サーバ４から配信される総合交通情報は、通信端末２を経由して制御回路１１へ出力される。
【００２０】
現在地検出装置１４は、自車両（車両１００）の現在地を検出する装置であり、たとえば、自車両の進行方向を検出する振動ジャイロ１４ａ、車速を検出する車速センサ１４ｂ、ＧＰＳ衛星からのＧＰＳ信号を検出するＧＰＳセンサ１４ｃ等からなる。車載機１は、この現在地検出装置１４により検出される自車両の現在地に基づいて、後述する経路探索開始点を決定することができる。
【００２１】
画像メモリ１５は、表示モニタ１６に表示するための画像データを一時的に格納する。この画像データは、道路地図を表示するための道路地図描画用データや各種の図形データ等からなり、ＤＶＤ−ＲＯＭ２０に記録されている地図データや配信サーバ４から配信された総合交通情報などに基づいて、制御回路１１において作成される。制御回路１１により作成された画像データが画像メモリ１５に出力されることによって、表示モニタ１６に道路地図が表示され、さらに、その道路地図上に様々な道路交通情報が表示される。
【００２２】
入力装置１７は、車両の目的地や経由地（以下、これらを合わせて単に目的地という）をユーザが設定したりするための各種入力スイッチを有している。この入力装置１７は、操作パネルやリモコンなどによって実現される。ユーザは、表示モニタ１６に表示される画面指示に従って入力装置１７を操作することにより、地名や地図上の位置などを指定して目的地を設定することができる。
【００２３】
ＦＭ放送受信部１８は、不図示のＶＩＣＳセンターからＦＭ放送によって直接送信されるＶＩＣＳ情報を受信する。ＦＭ放送受信部１８において受信されたＶＩＣＳ情報は、制御回路１１に出力された後、これに基づいて道路地図上に各種の道路交通情報を表示するための画像データが作成される。なお、前述の総合交通情報とは異なり、ＶＩＣＳセンターから直接送信されるＶＩＣＳ情報では、現在地付近の一定地域、たとえば同一都道府県内に関する道路交通情報しか送信されない。
【００２４】
ＶＩＣＳセンターから車載機１へのＶＩＣＳ情報の送信は、上記のＦＭ放送だけではなく、主に高速道路上に設置されている電波ビーコンや、主に一般道路上に設置されている光ビーコンによっても行われる。電波ビーコンや光ビーコンは、その設置地点付近を通過する車両に対して、電波あるいは光により局所的にＶＩＣＳ情報を送信するものである。一般的に、電波ビーコンや光ビーコンから送信されるＶＩＣＳ情報では、詳細な内容の道路交通情報が局所的に提供される。一方、ＦＭ放送によるＶＩＣＳ情報では、それよりも比較的広い範囲の一定の地域、たとえば同一都道府県内についての道路交通情報が提供される。
【００２５】
車載機１は、配信サーバ４を経由しないでＶＩＣＳセンターから直接送信されるＶＩＣＳ情報については、電波ビーコンや光ビーコンからは受信せず、ＦＭ放送のみをＦＭ放送受信部１８によって受信する。なお、電波ビーコンや光ビーコンから送信されるＶＩＣＳ情報によって提供されるような詳細な道路交通情報については、配信サーバ４からダウンロードされる総合交通情報の中にも含まれているため、電波ビーコンや光ビーコンからのＶＩＣＳ情報を受信しなくても車載機１において提供を受けることができる。
【００２６】
ディスクドライブ１９は、装填されたＤＶＤ−ＲＯＭ２０より、道路地図を表示するための地図データを読み出す。この地図データには、ルート探索に用いられる経路計算データや、交差点名称および道路名称など、推奨経路に従って自車両を目的地まで誘導するために用いられる経路誘導データ、さらに道路を表す道路データなどが含まれている。また、河川や鉄道、地図上の各種施設等（ランドマーク）など、道路以外の地図形状を表す背景データなども地図データに含まれている。
【００２７】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。各リンクに対応して、自車両の通過所要時間を表すためのリンクコストと呼ばれる値が前述の経路計算データにおいて設定されている。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００２８】
ユーザが入力装置１７を操作して目的地を設定すると、車載機１は現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して道路地図上に表される。これにより、ユーザは推奨経路を表示モニタ１６に表示された道路地図上において認識することができる。また、この推奨経路に従って自車両が走行できるよう、車載機１はユーザに対して画像や音声などによる進行方向指示を行うことにより、自車両を誘導する。このように、道路地図を表示して推奨経路に従って自車両を目的地まで誘導することにより、目的地までのルート案内が行われる。
【００２９】
上記のルート探索は、総合交通情報またはＶＩＣＳ情報によって提供される渋滞情報を用いて、道路の渋滞状況を考慮した上で行われる。すなわち、目的地までに複数のルートを設定可能な場合は、それぞれの道路の渋滞状況を加味した上で各リンクのリンクコストの値を設定してルート探索を行い、目的地までのリンクコストが最小となる経路を推奨経路に設定する。
【００３０】
次に、車載機１から発信されたダウンロード要求に応じて、配信サーバ４から車載機１へ総合交通情報をダウンロードする際の処理について説明する。車載機１は、図３（ａ）に示すフローチャートを実行することにより、配信サーバ４に対して前述したように一定時間ごとにダウンロード要求を発信する。このとき、現在地検出装置１４により検出された現在地を表す自車位置情報が、ダウンロード要求とともに車載機１から配信サーバ４に送信される。さらに推奨経路が設定されている場合は、その推奨経路を示す経路情報も合わせて送信される。
【００３１】
一方、配信サーバ４は、図３（ｂ）に示すフローチャートを実行する。このフローチャートが実行されることにより、配信サーバ４において記憶されている対象地域リストの内容が適宜更新される。また、配信サーバ４に記憶保持された総合交通情報の中から車載機１にとって必要な内容が抽出され、配信サーバ４から車載機１へと配信される。これにより、配信サーバ４から車載機１への総合交通情報のダウンロードが実現される。
【００３２】
なお、上記の対象地域リストとは、全国の地域の中でどの地域を総合交通情報の配信対象とするかをリスト化して登録したものである。この対象地域リストの内容と、車載機１からの自車位置情報および経路情報に基づいて、どの地域の総合交通情報をダウンロードするかが決定される。すなわち、対象地域リストに登録されていない地域については、総合交通情報が配信されない。
【００３３】
図３のフローチャートについて説明する。配信サーバ４は、図３（ｂ）のステップＳ１１０では、予め設定された更新条件に基づいて、配信サーバ４に記憶された対象地域リストを更新するか否か判定する。対象地域リストを更新すると判定した場合は、ステップＳ１２０へ進んで対象地域リストの更新を行った後、ステップＳ１３０へ進む。一方、対象地域リストを更新しないと判定した場合は、ステップＳ１２０を実行せずにステップＳ１３０へ進む。この場合、対象地域リストは更新されない。
【００３４】
なお、ステップＳ１１０の判定処理に用いる更新条件は、様々な内容とすることができる。たとえば、１時間おきなど所定時間ごとに対象地域リストを更新する場合は、前回の更新からその所定時間が経過したことを更新条件とすればよい。あるいは、配信サーバ４のオペレータから更新指示の操作が行われることを更新条件とすれば、手動で更新タイミングを指示することができる。
【００３５】
ステップＳ１２０では、対象地域リストの更新を行う。ここでは、都道府県、市区町村等の行政区分や他の区分方法などにしたがって予め設定された全国の各地域のうち所定の道路交通状況に該当する地域を、その時点で車載機１において総合交通情報の必要性が高いと考えられる地域として対象地域に設定し、対象地域リストに登録する。具体的には、図４の表に示すような地域が対象地域に設定される。以下、対象地域に設定される図４の地域についてそれぞれ説明する。
【００３６】
（１）渋滞が多い地域
渋滞が多い地域は、所定の道路交通状況に該当するとして対象地域に設定される。渋滞が多い地域がどの地域であるかは、配信サーバ４がＶＩＣＳセンターから入手するＶＩＣＳ情報に基づいて判断される。たとえば、ＶＩＣＳ情報において渋滞している道路を所定の割合以上含んでいる地域は、渋滞が多い地域であると判断される。なお、ＶＩＣＳ情報では、渋滞状況に応じて３種類の渋滞度（「渋滞」、「混雑」、「渋滞なし」）が各道路に対してそれぞれ設定されている。したがって、渋滞度が「渋滞」と設定された道路のみを渋滞している道路の対象としてもよいし、あるいは、渋滞度が「混雑」と設定された道路を含めてもよい。
【００３７】
（２）渋滞状況の変化が大きい地域
渋滞状況の変化が大きい地域は、所定の道路交通状況に該当するとして対象地域に設定される。渋滞状況の変化が大きい地域がどの地域であるかは、配信サーバ４がＶＩＣＳセンターから入手する全国のＶＩＣＳ情報と、配信サーバ４に記録された過去のＶＩＣＳ情報の履歴とに基づいて判断される。たとえば、過去のＶＩＣＳ状況の履歴から所定時間前の各道路の渋滞度を取得し、現在の渋滞度と比較する。その結果、現在とは渋滞度が異なる道路が所定の割合以上存在する地域は、渋滞状況の変化が大きい地域であると判断される。
【００３８】
（３）交通事故が発生した地域
交通事故が発生した地域は、所定の道路交通状況に該当するとして対象地域に設定される。交通事故が発生した地域がどの地域であるかは、配信サーバ４がＶＩＣＳセンターから入手する全国のＶＩＣＳ情報に基づいて判断される。前述のようにＶＩＣＳ情報には通行規制状況を表すための情報が含まれており、その中に交通事故の発生状況も含まれている。これにより、交通事故が発生した地域が判断される。
【００３９】
（４）普段よりも渋滞している地域
普段よりも渋滞している地域は、所定の道路交通状況に該当するとして対象地域に設定される。普段よりも渋滞している地域がどの地域であるかは、配信サーバ４がＶＩＣＳセンターから入手する全国のＶＩＣＳ情報と、配信サーバ４に記録された過去のＶＩＣＳ情報の履歴とに基づいて判断される。たとえば、現在渋滞している道路の割合、すなわち渋滞度に「渋滞」または「混雑」が設定された道路の割合が過去１年間における割合の平均よりも所定値以上大きい地域は、普段よりも渋滞している地域であると判断される。
【００４０】
（５）渋滞予測が当たりにくい地域
渋滞予測が当たりにくい地域は、所定の道路交通状況に該当するとして対象地域に設定される。渋滞予測が当たりにくい地域がどの地域であるかは、配信サーバ４に記録された過去のＶＩＣＳ情報の履歴と、過去の渋滞状況の予測結果とに基づいて判断される。すなわち、過去の渋滞状況の予測結果と、その予測後にＶＩＣＳセンターから入手したＶＩＣＳ情報の内容との差が大きい場合には、その地域は渋滞予測が当たりにくい地域であると判断される。
【００４１】
ステップＳ１２０では、以上説明したような図４に表した地域が対象地域リストに登録されることにより、対象地域リストが更新される。なお、図４の地域はあくまで一例であり、これに該当しない地域であっても、車載機１において総合交通情報の必要性が高いと考えられる地域であれば、その地域も対象地域に含めて対象地域リストを更新することが好ましい。また、図４の地域全てを対象地域に設定する必要はなく、その一部だけを対象地域としてもよい。
【００４２】
一方車載機１は、図３（ａ）のステップＳ１０では、配信サーバ４に対してダウンロード要求するか否かを判定する。ダウンロード要求する場合は次のステップＳ２０へ進み、ダウンロード要求の発信を行う。このとき、前述したように、現在地検出装置１４により検出された自車位置情報と、さらに推奨経路が設定されている場合は経路情報とを、ダウンロード要求に合わせて送信する。
【００４３】
なお、ステップＳ１０の判定は、予め定められたダウンロード要求の発信タイミングに応じて行われる。すなわち、所定時間ごとにダウンロード要求を行う場合は、前回のダウンロード要求からその所定時間が経過することにより、ステップＳ１０においてダウンロード要求すると判定される。
【００４４】
ステップＳ２０において車載機１からダウンロード要求が発信されると、配信サーバ４は、そのダウンロード要求を受信したか否かをステップＳ１３０により判定する。ダウンロード要求を受信した場合は次のステップＳ１４０へ進み、受信していなければステップＳ１１０へ戻る。
【００４５】
配信サーバ４は、ステップＳ１４０では、ステップＳ２０においてダウンロード要求と共に車載機１から送信される自車位置情報と経路情報を取得する。なお、車載機１において推奨経路が設定されていない場合は、車載機１から経路情報が送信されないため、経路情報は取得されない。ステップＳ１５０では、配信サーバ４に記憶された対象地域リストを参照する。この対象地域リストは、前述のようにステップＳ１２０によって適宜更新されている。
【００４６】
ステップＳ１６０では、ステップＳ１４０で取得した自車位置情報および経路情報と、ステップＳ１５０における対象地域リストの参照結果に基づいて、車載機１の現在地または車載機１において設定されている推奨経路から所定距離以内に、対象地域リストに登録されている対象地域があるか否かを判定する。所定距離以内に対象地域がある場合はステップＳ１７０へ進む。しかし、所定距離以内に対象地域がない場合は、ステップＳ１１０へ戻る。この場合は、車載機１からダウンロード要求が送信されたにも関わらず、総合交通情報のダウンロードが行われないこととなる。そのため、この場合には、ダウンロードすべき総合交通情報がないことを車載機１へ返信することが好ましい。
【００４７】
ステップＳ１７０では、ステップＳ１６０の判定結果に該当する対象地域、すなわち車載機１の現在地または車載機１において設定されている推奨経路から所定距離以内にある対象地域について、その地域に関する総合交通情報を配信サーバ４に記憶保持された総合交通情報の中から抽出する。これにより、配信サーバ４に記憶保持された総合交通情報から車載機１にとって必要な内容が抽出される。
【００４８】
ステップＳ１８０では、ステップＳ１７０で抽出した総合交通情報を車載機１へ送信する。ステップＳ１８０を実行したら、ステップＳ１１０へ戻る。
【００４９】
車載機１は、ステップＳ３０では、配信サーバ４からステップＳ１８０により送信された総合交通情報を受信する。ステップＳ４０では、ステップＳ３０で配信サーバ４から受信した総合交通情報により、道路地図上に表示された道路交通上表示の更新を行う。ステップＳ４０を実行したら、ステップＳ１０へ戻る。以上説明したようにして、車載機１にとって必要な総合交通情報がダウンロードされる。
【００５０】
以上説明した第１の実施の形態によれば、下記の作用効果を奏することができる。
（１）配信サーバ４において、図４に示すような所定の道路交通状況に該当する地域を対象地域に設定することにより、対象地域リストを更新する（ステップＳ１２０）。そして、設定された対象地域に関する総合交通情報を配信サーバ４から車載機１へ配信する（ステップＳ３０、Ｓ１８０）。このようにしたので、車両にとって不要な地域の道路交通情報が配信されるのを防止し、通信時間や通信費用の無駄を削減することができる。
【００５１】
（２）ステップＳ１２０では、図４に示すような地域、すなわち渋滞が多い地域、渋滞状況の変化が大きい地域、交通事故が発生した地域、普段よりも渋滞している地域、渋滞予測が当たりにくい地域などを対象地域に設定することとした。このようにしたので、車両にとって道路交通情報が必要な地域を対象地域に設定し、その対象地域について道路交通情報をダウンロードすることができる。
【００５２】
（３）対象地域に設定された地域のうち、車載機１の現在位置、または車載機１において設定された推奨経路から所定距離以内にある地域を選択し（ステップＳ１６０）、その選択された地域について総合交通情報を抽出して(ステップＳ１７０）、配信サーバ４から車載機１へ配信する（ステップＳ３０、Ｓ１８０）。このようにしたので、道路交通情報をダウンロードする地域をさらに絞り込むことができる。
【００５３】
−第２の実施の形態−
本発明の第２の実施の形態によるナビゲーションシステムについて説明する。第２の実施の形態によるナビゲーションシステムの構成は、図１に示した第１の実施の形態によるナビゲーションシステムと同じである。また、車載機の構成も、図２に示した第１の実施の形態による車載機１と同じである。
【００５４】
第１の実施の形態によるナビゲーションシステムでは、車載機１と配信サーバ４により図３（ａ）、（ｂ）のフローチャートをそれぞれ実行することにより、配信サーバ４に記憶保持された総合交通情報の中から車載機１にとって必要な内容を配信サーバ４において抽出し、車載機１へダウンロードしていた。これに対し、第２の実施の形態によるナビゲーションシステムでは、車載機１の制御回路１１により図５（ａ）のフローチャートを、配信サーバ４により図５（ｂ）のフローチャートをそれぞれ実行することにより、車載機１にとって必要な総合交通情報を車載機１から配信サーバ４へダウンロード要求する。このダウンロード要求に応じて、配信サーバ４に記憶保持された総合交通情報の一部が車載機１へダウンロードされる。
【００５５】
図５のフローチャートについて説明する。車載機１は、図５（ａ）のステップＳ２１０では、図３（ｂ）のステップＳ１１０と同様に、予め設定された更新条件に基づいて対象地域リストを更新するか否かを判定する。なお、この対象地域リストは、第１の実施の形態の場合とは異なり車載機１において記憶されている。対象地域リストを更新すると判定した場合は、ステップＳ２２０へ進んで対象地域リストの更新を行った後、ステップＳ２３０へ進む。一方、対象地域リストを更新しないと判定した場合は、ステップＳ２２０を実行せずにステップＳ２３０へ進む。この場合、対象地域リストは更新されない。
【００５６】
ステップＳ２１０の判定処理に用いる更新条件は、ステップＳ１１０の場合と同様に、様々な内容とすることができる。たとえば、第１の実施の形態で説明したように所定時間ごとに更新したり、ユーザである車両の運転者からの更新指示操作に応じて更新したりすることができる。あるいは、車両のイグニッションスイッチがオンされたときに更新するようにしてもよい。
【００５７】
ステップＳ２２０では、対象地域リストの更新を行う。ここでは、図３（ｂ）のステップＳ１２０において説明したのと同様に、図４に示すような所定の道路交通状況に該当する地域を対象地域に設定し、対象地域リストに登録することにより、車載機１に記憶されている対象地域リストを更新する。その際、ＦＭ放送やビーコンによって送信されるＶＩＣＳ情報を予め受信しておけば、その内容に基づいてどの地域が対象地域に該当するかを判断することができる。あるいは、配信サーバ４において対象地域リストを予め作成しておき、それを配信サーバ４から車載機１が受信することにより、車載機１に記憶されている対象地域リストを更新するようにしてもよい。
【００５８】
ステップＳ２３０では、配信サーバ４に対してダウンロード要求するか否かを判定する。ダウンロード要求する場合は次のステップＳ２４０へ進み、ダウンロード要求しない場合はステップＳ２１０へ戻る。
【００５９】
ステップＳ２４０では、現在地検出装置１４により検出される自車位置情報を取得すると共に、推奨経路が設定されている場合はその経路情報も取得する。ステップＳ２５０では、車載機１に記憶された対象地域リストを参照する。この対象地域リストは、前述のようにステップＳ２２０によって適宜更新されている。
【００６０】
ステップＳ２６０では、ステップＳ２４０で取得した自車位置情報および経路情報と、ステップＳ２５０における対象地域リストの参照結果に基づいて、車載機１の現在地または車載機１において設定されている推奨経路から所定距離以内に、対象地域リストに登録されている対象地域があるか否かを判定する。所定距離以内に対象地域がある場合はステップＳ２７０へ進む。しかし、所定距離以内に対象地域がない場合はステップＳ２１０へ戻る。この場合、車載機１から配信サーバ４へのダウンロード要求は行われない。
【００６１】
ステップＳ２７０では、ステップＳ２６０の判定結果に該当する対象地域、すなわち車載機１の現在地または車載機１において設定されている推奨経路から所定距離以内にある対象地域について、その地域に関する総合交通情報をダウンロードするよう配信サーバ４に対してダウンロード要求を発信する。
【００６２】
ステップＳ２７０において車載機１からダウンロード要求が発信されると、配信サーバ４は、そのダウンロード要求を受信したか否かを図５（ｂ）のステップＳ３１０により判定する。ダウンロード要求を受信した場合は、次のステップＳ３２０へ進む。
【００６３】
配信サーバ４は、ステップＳ３２０では、ステップＳ２７０で車載機１から送信されたダウンロード要求において総合交通情報のダウンロードを要求されている対象地域、すなわち車載機１の現在地または車載機１において設定されている推奨経路から所定距離以内にある対象地域について、その地域に関する総合交通情報を配信サーバ４に記憶保持された総合交通情報の中から抽出する。これにより、配信サーバ４に記憶保持された総合交通情報から車載機１にとって必要な内容が抽出される。ステップＳ３３０では、ステップＳ３２０で抽出した総合交通情報を車載機１へ送信する。ステップＳ３３０を実行したら、ステップＳ３１０へ戻って再び車載機１からのダウンロード要求があるまで待機する。
【００６４】
車載機１は、ステップＳ２８０では、ステップＳ２７０のダウンロード要求に応じてステップＳ３３０により配信サーバ４から送信される総合交通情報を受信する。これにより、車載機１にとって必要な総合交通情報がダウンロードされる。ステップＳ２９０では、ステップＳ２７０で配信サーバ４から受信した総合交通情報により、道路地図上に表示された道路交通上表示の更新を行う。ステップＳ２９０を実行したら、ステップＳ２１０へ戻る。
【００６５】
以上説明した第２の実施の形態によれば、下記の作用効果を奏することができる。
（１）車載機１において、図４に示すような所定の道路交通状況に該当する地域を対象地域に設定することにより、対象地域リストを更新する（ステップＳ２２０）。そして、設定された対象地域に関する総合交通情報を配信サーバ４から車載機１へ配信する（ステップＳ２８０、Ｓ３３０）。このようにしたので、第１の実施の形態と同様に、車両にとって不要な地域の道路交通情報が配信されるのを防止し、通信時間や通信費用の無駄を削減することができる。
【００６６】
（２）ステップＳ２２０では、図４に示すような地域を対象地域に設定することとしたので、第１の実施の形態と同様に、車両にとって道路交通情報が必要な地域を対象地域に設定し、その対象地域について道路交通情報をダウンロードすることができる。
【００６７】
（３）対象地域に設定された地域のうち、車載機１の現在位置、または車載機１において設定された推奨経路から所定距離以内にある地域を選択し（ステップＳ２６０）、その選択された地域についてダウンロード要求を発信する（ステップＳ２７０）。このダウンロード要求に応じて配信サーバ４から車載機１へ配信される総合交通情報を受信することとしたので、第１の実施の形態と同様に、道路交通情報をダウンロードする地域をさらに絞り込むことができる。
【００６８】
なお、以上説明した各実施の形態において、図３のステップＳ１６０または図５のステップＳ２６０では、車載機１の現在地または設定された推奨経路から所定距離以内にある対象地域を判定する際に、その所定距離の値を地域ごとに変化させることができる。この場合、地域の大きさによって変化させてもよいし、道路交通状況に応じて変化させてもよい。たとえば、広大な地域や渋滞の激しい地域のように、道路交通情報の必要性が高いと考えられる地域ほど所定距離の値を大きくして、現在地や推奨経路から遠くてもダウンロードできるようにする。
【００６９】
すなわち、ステップＳ１６０またはステップＳ２６０における現在地または推奨経路から所定距離以内にある対象地域の選択の際、その地域の大きさまたは道路交通状況に応じて、所定距離を地域ごとに変化させることができる。これにより、地域ごとの道路交通情報の必要性に応じて、柔軟にダウンロードする地域を選択することができる。
【００７０】
また、上記の第２の実施の形態では、図５のステップＳ２７０においてダウンロード要求を発信するときに、対象地域に設定された地域の大きさや、その対象地域の道路交通状況に応じて、ダウンロード要求を発信するタイミングを変化させてもよい。この場合、ステップＳ２３０においてダウンロード要求するか否かを判定するときの判定条件を変化させてもよいし、あるいは、ステップＳ２７０を実行するタイミング自体を変化させてもよい。たとえば、広大な地域や渋滞の激しい地域のように、道路交通情報の必要性が高い地域についてはダウンロードの間隔を短く変化させ、常に最新の内容とすることができる。これにより、地域ごとの道路交通情報の必要性に応じて、柔軟にダウンロードの頻度を設定することができる。
【００７１】
上記の各実施の形態では、全国の道路交通情報や未来の渋滞状況の予測結果などを含んだ総合交通情報を配信サーバ４に記憶保持し、それを通信端末２や移動体通信網３を介して車両に搭載されたナビゲーション装置である車載機１に配信する例を説明したが、本発明はこの内容に限定されるものではない。たとえば、パソコンやＰＤＡ（Personal Digital Assistance）、携帯電話等、ナビゲーション装置以外の種々の端末機に対して道路交通情報を配信するものや、沿線の観光地や施設情報などを道路交通情報として配信するものなどについても、本発明を適用することができる。
【００７２】
以上説明した各実施の形態や各種の変形例はあくまで一例であり、発明の特徴が損なわれない限り、本発明はこれらの内容に限定されない。
【００７３】
上記の第１の実施の形態では、本発明の配信サーバを配信サーバ４によって実現しており、そのうち設定手段を図３のステップＳ１２０、抽出手段をステップＳ１７０、配信手段をステップＳ１８０の各処理によってそれぞれ実現している。また、第２の実施の形態では、本発明の端末機を車載機１によって実現しており、そのうち設定手段を図５のステップＳ２２０、ダウンロード要求手段をステップＳ２７０、受信手段をステップＳ２８０の各処理によってそれぞれ実現している。なお、以上の説明はあくまで一例であり、発明を解釈する際、上記の実施形態の記載事項と特許請求の範囲の記載事項の対応関係には何ら限定も拘束もされない。
【図面の簡単な説明】
【００７４】
【図１】本発明の一実施形態によるナビゲーションシステムを示す図である。
【図２】車載機の構成を示すブロック図である。
【図３】第１の実施の形態において車載機と配信サーバにより実行されるフローチャートである。
【図４】対象地域の例を表した図である。
【図５】第２の実施の形態において車載機と配信サーバにより実行されるフローチャートである。
【符号の説明】
【００７５】
１  車載機
２  通信端末
３  移動体通信網
４  配信サーバ
１１  制御回路
１２  ＲＯＭ
１３  ＲＡＭ
１４  現在地検出装置
１５  画像メモリ
１６  表示モニタ
１７  入力装置
１８  ＦＭ放送受信部
１９  ディスクドライブ
２０  ＤＶＤ−ＲＯＭ
１００  自車両
【図１】
0004606979.tif 000002
【図２】
0004606979.tif 000003
【図３】
0004606979.tif 000004
【図４】
0004606979.tif 000005
【図５】
0004606979.tif 000006